(57)【要約】      （修正有）【課題】コントローラーに連結するストリングライト数が多く、更に発光効率が優れている照明装置を提供する。【解決手段】ＬＥＤ装飾照明装置は直流電源、メインコントローラーとＬＥＤストリングライトからなり、前記メインコントローラーにはボタンスイッチ、水晶発振アクセス回路とメインコントロールチップを含み、前記ボタンスイッチ、水晶発振アクセス回路はそれぞれメインコントロールチップと連結し、前記メインコントロールチップのパルス幅変調側はデューティ・サイクル可変のＰＷＭを出力する。【選択図】図２
0003177497.tif 000002
【実用新案登録請求の範囲】
【請求項１】
直流電源、メインコントローラーとLEDストリングライトからなり、前記メインコントローラーにはボタンスイッチ、水晶発振アクセス回路とメインコントロールチップを含み、前記ボタンスイッチ、水晶発振アクセス回路はそれぞれメインコントロールチップと連結し、前記メインコントロールチップのパルス幅変調側はデューティ・サイクル可変のPWMを出力し、前記水晶発振回路はメインコントロールチップに必要な命令サイクルの提供に使用し、前記ボタンスイッチはメインコントロールチップの動きをコントロールに使用し、前記メインコントローラーには電圧調整回路を設置してあり、直流電源の電圧をLEDストリングライトの必要な電圧に調整することに使用し、電圧調整回路の入力側が前記の直流電源と連結し、電圧調整回路の制御側が前記メインコントロールチップのパルス幅変調側と連結し、電圧調整回路の出力側のストリングライトがLEDストリングライトの入力側と連結することを特徴とするLED装飾照明装置。
【請求項２】
前記メインコントローラーには点滅制御回路が設置してあり、点滅制御回路の入力側がメインコントロールチップのI/Oポートと連結し、点滅制御回路の出力側がLEDストリングライトと連結し、前記メインコントロールチップは点滅制御回路によってLEDストリングライトの点滅をコントロールすることを特徴とする請求項１に記載のLED装飾照明装置。
【請求項３】
前記水晶発振回路に2つのパラレルセラミックコンデンサーと、この2つのセラミックコンデンサーと連結している水晶発振器を含むことを特徴とする請求項１に記載のLED装飾照明装置。
【請求項４】
前記電圧調整回路には一緒に連結しているインダクタンス、セラミックコンデンサー、カーボンフィルムレジスター、トランジスタ、ダイオードと電解コンデンサーを含むことを特徴とする請求項１に記載のLED装飾照明装置。
【請求項５】
前記メインコントロールチップがパルス幅変調側の出力間隔からデューティサイクルが0であるパルスと、LEDストリングライトが点灯するデューティサイクルパルスの出力に使用し、間隔時間はLEDストリングライトが人間の目に残る残像時間より短いことを特徴とする請求項１に記載のLED装飾照明装置。
【請求項６】
前記メインコントロールチップにタイマーと分周器を内蔵し、前記水晶発振アクセス回路がタイマーのオーバーフロー時間を設定し、前記メインコントロールチップの省電力モジュールがLEDストリングライトの毎日6時間点灯後に自動的に消え、18時間後に自動的に再度点灯を制御することを特徴とする請求項１に記載のLED装飾照明装置。
【請求項７】
前記メインコントローラーにサンプリング回路を設置してあり、サンプリング回路がLEDストリングライトの制御回路の出力側と連結し、前記メインコントロールチップがI/Oポートによってリアルタイムにサンプリング回路の電圧出力値をサンプリングし、サンプリングした電圧値が設定した出力値より低い場合、メインコントロールチップがPWMのデューティサイクルを調節し、LEDストリングライトの制御回路の出力電圧をアップすることを特徴とする請求項１に記載のLED装飾照明装置。
【請求項８】
前記ボタンスイッチがタッチタイプの構造で、ボタンスイッチの内部に導電性シリコーンゴム層を設置し、メインコントロールチップより電圧調整回路のON、OFFをコントロールに使用することを特徴とする請求項１に記載のLED装飾照明装置。
【請求項９】
前記メインコントローラーに無線受信回路を設置してあり、無線受信回路がメインコントロールチップと連結し、無線送信機からの無線信号受信と、メインコントロールチップへの送信に使用することを特徴とする請求項１に記載のLED装飾照明装置。
【請求項１０】
前記点滅制御回路がレジスタンスとトランジスタからなり、レジスタンスがトランジスタのベースと連結してベースのドライブ回路になり、前記レジスタンスがメインコントロールチップのI/Oポートと連結し、トランジスタのコレクタがLEDストリングライトと連結することを特徴とする請求項２に記載のLED装飾照明装置。
【考案の詳細な説明】
【技術分野】
【０００１】
本考案は照明装置に関わり、特に電池駆動のLED装飾照明装置に関わる。
【背景技術】
【０００２】
祝日用照明装置は休日にお祝いの雰囲気を増やし、祝日用照明装置の発光は基本的にコントローラーによってコントロールされている。
【０００３】
中国実用新案特許公告CN201238409は、照明コントローラーボックスを公開し、ダイオードストリングライト状態の制御に使用している。前記照明コントローラーボックスにはフロントカバー、バックカバー、フロントカバーとバックカバーの間に置いているプリント回路基板を含み、前記バックカバーに電池を内蔵するスペースと、電池を隔離する電池カバーを設置し、前記フロントカバーに多数のボタン用穴を設置している。ボタンは前記ボタン用穴に設置し、前記ボタンを押す際に、前記プリント回路基板の回路を触発して、前記ダイオードストリングライトの状態を切り替える。本実用新型発明を利用することによって、照明装置のコントロールは便利になる。しかし、このコントローラーに連結するストリングライト数が限られており、また、電池を頻繁に交換する必要もある。
【０００４】
中国実用新案特許公告CN2694698号は、インテリジェント照明電子コントローラーを公開し、前記インテリジェント照明電子コントローラーに電源回路と、制御回路と出力回路を含む、前記制御回路にメインコントロールチップと、前記メインコントロールチップに連結しているコンデンサーとレジスタンスからなるメインコントロールチップ用電源回路と、コンデンサーと水晶発振器からなる水晶発振回路或いはコンデンサーと、レジスタンスからなるRC発振回路を含むことを特徴としている。本実用新型特許の制御回路にメインコントロールチップを中核制御部品とし、プログラムの入力により、さまざまな機能が達成でき、任意に照明装置のステータスを設定でき、大いに市場の需要と、顧客の照明装置に対するより高いレベルの観賞需要を満足させた。前記メインコントロールチップに連結するレギュレーション回路は機能の選定、或いは電球の点滅スピード調節ができるため、電球の多機能変換が達成できる。しかし、この照明電子コントローラーは電源回路を介してパワーグリッドと連結し、回路の構造が複雑だけでなく、電球の頻繁な始動によってパワーグリッドに不利な影響を与える可能性がある。
【先行技術文献】
【特許文献】
【０００５】
【特許文献１】中国実用新案特許公告CN201238409号
【特許文献２】中国実用新案特許公告CN2694698号
【考案の概要】
【考案が解決しようとする課題】
【０００６】
前記不具合を避けるため、本考案の目的は、電池の電圧を高める照明装置を提供することであり、本考案はコントローラーに連結するストリングライト数が多く、更に発光効率が優れている。
【課題を解決するための手段】
【０００７】
前記目的を達成するために、本考案は下記の技術的なソリューションを採用した。
LED装飾照明装置は直流電源、メインコントローラー及びLEDストリングライトからなり、前記メインコントローラーにはボタンスイッチ、水晶発振回路とメインコントロールチップを含み,前記ボタンスイッチ、水晶発振回路はそれぞれメインコントロールチップに連結し、前記メインコントロールチップのパルス幅変調側はデューティ・サイクル可変のPWMを出力する。前記水晶発振回路はメインコントロールチップに必要な命令サイクルの提供に使用し、前記ボタンスイッチはメインコントロールチップの動きをコントロールに使用する。前記メインコントローラーには電圧調整回路が設置してあり、直流電源の電圧をLEDストリングライトの必要な電圧に調整することに使用し、電圧調整回路の入力側が前期の直流電源と連結、電圧調整回路の制御側が前記メインコントロールチップのパルス幅変調側と連結し、電圧調整回路の出力側のストリングライトがLEDストリングライトの入力側と連結することを特徴としている。
【０００８】
本考案の更なる改善として、前記メインコントローラーには点滅制御回路が設置してあり、点滅制御回路の入力側がメインコントロールチップのI/Oポートと連結し、点滅制御回路の出力側がLEDストリングライトと連結する。前記メインコントロールチップは点滅制御回路によってLEDストリングライトの点滅をコントロールする。
【０００９】
前記点滅制御回路がレジスタンスとトランジスタからなり、レジスタンスがトランジスタのベースと連結してベースのドライブ回路になる、前記レジスタンスがメインコントロールチップのI/Oポートと連結し、トランジスタのコレクタがLEDストリングライトと連結する。
【００１０】
前記水晶発振回路に2つのパラレルセラミックコンデンサーと、この2つのセラミックコンデンサーと連結している水晶発振器を含む。
前記電圧調整回路には一緒に連結しているインダクタンス、セラミックコンデンサー、カーボンフィルムレジスター、トランジスタ、ダイオードと電解コンデンサーを含む。
【００１１】
本考案の更なる改善として、前記メインコントローラーにサンプリング回路を設置してあり、サンプリング回路がLEDストリングライトの制御回路の出力側と連結し、前記メインコントロールチップがI/Oポートによってリアルタイムにサンプリング回路の電圧出力値をサンプリングし、サンプリングした電圧値が設定した出力値より低い場合、メインコントロールチップがPWMのデューティサイクルを調節し、LEDストリングライトの制御回路の出力電圧をアップすることによって、LEDストリングライトを既有の観賞効果を持たせ、電池の電圧を充分利用すると共に、環境保全と省エネの効果を達成する。
【００１２】
本考案の更なる改善として、前記メインコントロールチップがまたパルス幅変調側の出力間隔からデューティサイクルが0であるパルスと、LEDストリングライトを点灯するデューティサイクルパルスの出力に使用し、間隔時間はLEDストリングライトが人間の目に残る残像時間より短い。一般的に人間の目には残像現象があり、視覚的な遅延が多くの場合は0.2〜0.4秒の間であるため、人間の目の視覚遅延の時間内にLEDストリングライトの電源を切り、それ以外の時間にLEDストリングライトの電源を入れれば、ある時間内にLEDストリングライトの電源を切ったとしても、電源を切った時間は視覚遅延時間内にあるため、人間の目が見分けられなく、人間の目が見たストリングライトはずっと点灯している。これは間欠的に電源を切ったことに相当するが、電圧の変換がかなり速く、変換のスピードはLEDストリングライトが人間の目に残る残像時間よりも短いので、人間の目はLEDストリングライトの方が暗くなったり、点灯しなかったりする現象を見付けることができないことによって、省エネを実現する。
【００１３】
本考案の更なる改善として、前記メインコントロールチップにタイマーと分周器を内蔵し、前記水晶発振アクセス回路がタイマーのオーバーフロー時間を設定し、前記メインコントロールチップの省電力モジュールがLEDストリングライトの毎日6時間点灯後に自動的に消え、18時間後に自動的な再度点灯を制御する。3×AA電池に8個のLEDを連結し、メインコントロールチップからデューティサイクルが0.94であるパルスを持続的に出力する場合、電池は回路全体の80時間程度の点灯をサポートでき、メインコントロールチップからデューティサイクルが変化するパルスを出力し、毎日6時間点灯する場合、3×AA電池に240個のLEDを連結しても、60日間ほど点灯できる。
【００１４】
本考案の更なる改善として、前記点滅制御回路がレジスタンスとトランジスタからなり、レジスタンスがトランジスタのベースと連結してベースのドライブ回路になる、前記レジスタンスがメインコントロールチップのI/Oポートと連結し、トランジスタのコレクタがLEDストリングライトと連結する。
【００１５】
前記ボタンスイッチがタッチタイプの構造で、ボタンスイッチの内部に導電性シリコーンゴム層を設置し、メインコントロールチップより電圧調整回路のON、OFFをコントロールに使用する。
1、電圧調整回路がOFFの場合、コントローラーの入力電圧が1.5〜6Vで、出力電圧が入力電圧に等しい。
2、電圧調整回路がONの場合、30V程度まで電圧を高める。
前記ボタンスイッチが電圧調整回路ONの場合に、メインコントロールチップへ信号を入力、点滅タイプの選定に使用する。スイッチを押す度に、LEDの点滅パターンが変わる。
【００１６】
本考案の更なる改善として、前記メインコントローラーに無線受信回路を設置してあり、無線受信回路がメインコントロールチップと連結し、無線送信機からの無線信号受信、メインコントロールチップへの送信に使用する。
【考案の効果】
【００１７】
コントローラー内に水晶発振回路を設置し、ボタンスイッチを押すと、該当水晶発振回路が発振し、処理チップにパルス信号を発信させる。このパルス信号が電圧調整回路の処理によって、コントローラーに数多くのストリングライトが連結できるようになり、更にストリングライトの発光効果を高め、コントローラー内の電源とする電池の役割を充分果たすことができる。従来の照明装置は、使用中に電池の消耗に連れて、LEDが点灯できなくなるまで徐々に暗くなる。しかし、本考案は電圧調整回路を設置してあるため、入力電圧さえあれば、出力電圧の安定性が保証できる、従って、この照明装置は徐々にLEDが暗くなることなく、電池の電力がほぼ完全になくなるまで、ストリングライト全体の各LEDに同じ明るさを持たせることができる。
【図面の簡単な説明】
【００１８】
【図１】本考案の実施例1のLED装飾照明装置の構造ブロック図である。
【図２】本考案の実施例1のメインコントローラーの構造ブロック図である。
【図３】本考案の実施例2のメインコントローラーの構造ブロック図である。
【図４】本考案の実施例1のLED装飾照明装置の回路図である。
【図５】本考案の実施例2のLED装飾照明装置の回路図である。
【図６】本考案の実施例2のLEDストリングライトの点滅制御フローチャートである。
【図７】本考案の実施例3のメインコントローラーの構造ブロック図である。
【図８】本考案の実施例3のメインコントロールチップの構造スケッチマップである。
【図９】本考案の実施例3の電圧調整回路である。
【図１０】本考案の実施例3の点滅制御回路である。
【図１１】本考案の実施例3のサンプリング回路である。
【図１２】本考案の実施例3の無線受信回路である。
【図１３】本考案の実施例3メインコントロールチップのパルス幅変調出力側が出力するパルスである。
【図１４】本考案の実施例3のLEDストリングライトのコントロールフローチャートである。
【図１５】本考案の実施例2の省電力制御フローチャートである。
【図１６】本考案の実施例3のLED装飾照明装置の回路図である。
【考案を実施するための形態】
【実施例１】
【００１９】
図1のLED装飾照明装置の構造ブロック図に示すように、LED装飾照明装置はメインコントローラーとLEDストリングライトからなる。
【００２０】
図2のメインコントローラーの構造ブロック図に示すように、メインコントローラーにはボタンスイッチ、水晶発振回路、電圧調整回路とメインコントロールチップを含み、ボタンスイッチ、水晶発振回路はそれぞれメインコントロールチップと連結し、メインコントロールチップのパルス幅変調側はデューティサイクル可変のPWMを出力し、水晶発振回路はメインコントロールチップに必要な命令サイクルの提供に使用し、ボタンスイッチはメインコントロールチップの動きをコントロールに使用する。電圧調整回路が直流電源の電圧をLEDストリングライトの必要な電圧に調整することに使用し、電圧調整回路の入力側を前記直流電源と連結し、電圧調整回路の制御側を前記メインコントロールチップのパルス幅変調側と連結し、電圧調整回路の出力側のストリングライトをLEDストリングライトの入力側と連結する。
【００２１】
LED装飾照明装置の詳細的な回路は図4に示すように、LED装飾照明装置100はメインコントローラー20とLEDストリングライト11からなり、メインコントローラーには直流電源１と、ボタンスイッチ3と、水晶発振回路12と、メインコントロールチップ4を含み、メインコントロールチップ4は8ビットのシングルチップ（SMC）を使用し、直流電源１と、ボタンスイッチ3と、水晶発振回路12はそれぞれメインコントロールチップ4と連結し、水晶発振回路12はメインコントロールチップ4に必要な命令サイクルの設定に使用し、ボタンスイッチ3はメインコントロールチップの動きをコントロールに使用する。
【００２２】
コントローラー20に電圧調整回路13を設置してあり、電圧調整回路の入力側14を直流電源1と連結し、電圧調整回路13の制御側がメインコントロールチップのパルス幅変調側15と連結し、電圧調整回路の出力側がLEDストリングライト11の入力側と連結し、電圧調整回路へパルス信号を発信する。水晶発振回路12に水晶発振器5と2つのセラミックコンデンサー6を含み、この2つのセラミックコンデンサー6がパラレルにしてから水晶発振器5の両端と連結する。
【００２３】
電圧調整回路13には一緒に連結しているインダクタンス7と、セラミックコンデンサー6と、カーボンフィルムレジスター2と、トランジスタ8と、ダイオード9と、電解コンデンサー10を含み、インダクタンス7の片側を電源1と連結し、インダクタンス7の他の片側をダイオード9のアノードと連結し、電解コンデンサー10をトランジスタ8のコレクタとエミッタの間に連結し、トランジスタ8のベースがセラミックコンデンサー6とカーボンフィルムレジスター2を介して、メインコントロールチップのパルス幅変調側16を連結し、電解コンデンサー10をダイオード9のカソードと、トランジスタ8のエミッタの間に連結し、ダイオード9のカソードが電圧調整回路13の出力側としてLEDストリングライト11と連結する。
【００２４】
メインコントロールチップがトランジスタ8を制御して導通する際に、入力電圧はインダクタンス7を流れて行き、ダイオード9がコンデンサー10が地面に対して放電することを防止する役割を果たす。入力するのは直流電流（DC）なので、インダクタンス7上の電流は一定の比率で直線性に増え、この比率はインダクタンスの大きさに関わる。インダクタンス電流の増加に伴って、インダクタンスの中には少しながらエネルギーが蓄えられる。即ち、電源がインダクタンスと、トランジスタを介した回路になり、電流がインダクタンス7の中で磁気エネルギーに変換して蓄える。この間に、コンデンサー10より負荷へ電気を供給する。
【００２５】
メインコントロールチップ4よりトランジスタ8の制御を一度切る段階は、インダクタンス7上の誘導起電力（左がマイナス、右がプラス）がダイオード9を順方向にバイアスさせることによって導通し、インダクタンス7が蓄えたエネルギーをリリースして、電流が次第に小さくなる。インダクタンス中の磁気エネルギーを電気エネルギーに変換して、インダクタンス側で左がマイナス、右がプラスになっている。この電圧が電源のプラス側に加え、ダイオード・負荷を介した回路になり、電圧を高める目的を達する。この間に、インダクタンス7中に蓄えるエネルギーが順方向極性の入力電圧と共同に負荷へ電気を供給すると共に、コンデンサー10へ電気をチャージする。
【００２６】
メインコントロールチップ4にタイマーと分周器を内蔵し、水晶発振回路12がタイマーのオーバーフロー時間を設定する。メインコントロールチップ4に省電力モジュールが設置してあり、省電力モジュールがLEDストリングライトの毎日6時間点灯後に自動的に消え、18時間後に自動的な再度点灯をコントロールする。省電力モジュールのコントロールフローチャートは図15に示す通りである。3×AA電池に8個のLEDを連結し、メインコントロールチップからデューティサイクルが0.94であるパルスを持続的に出力する場合、電池は回路全体の80時間程度の点灯がサポートでき、メインコントロールチップからデューティサイクルが変化するパルスを出力し、毎日6時間点灯する場合、3×AA電池に240個のLEDを連結しても、60日間ほど点灯できる。
【実施例２】
【００２７】
本実施例は前記実施例1と基本的には同じであるが、違うところは、メインコントローラー20には点滅制御回路17が設置してあることにあり、図3に示すように、点滅制御回路17の入力側がメインコントロールチップのI/Oポートと連結し、点滅制御回路の出力側がLEDストリングライトと連結する。メインコントロールチップはI/OポートからPWMを出力し、点滅制御回路によってLEDストリングライトの点滅をコントロールする。
【００２８】
図5に示すように、点滅制御回路17はレジスタンス19とトランジスタ21からなり、レジスタンスがトランジスタのベースと連結してベースのドライブ回路18になり、レジスタンス19がメインコントロールチップのI/Oポートと連結し、トランジスタ21のコレクタがLEDストリングライトと連結する。点滅制御回路17の中に2つのベースのドライブ回路18を設置してあり、LEDストリングライトの6〜8種類の点滅機能が実現できる。ボタンスイッチ3が本実施例では電圧調整回路12がONの場合に、メインコントロールチップ4へ信号を入力し、点滅タイプの選定に使用する。スイッチを押す度に、LEDの点滅パターンが変わる。
【００２９】
図6に示すように、メインコントロールチップ4に電源を入れれば、プログラムがリセットし、初期化プログラムを実行する、初期化プログラム実行完了後に、プログラムが自動的にメインプログラムの実行に変わり、ボタンスイッチのステータスを読み取り、ボタンスイッチのステータスによって点滅のパターンを選定する。
【実施例３】
【００３０】
本実施例はメインコントローラーのもう一種類の実施方式である。図7に示すように、メインコントローラーは直流電源と、メインコントロールチップと、発振回路と、電圧調整回路と、LEDストリングライト制御回路と、サンプリング回路と、無線受信回路からなる。
【００３１】
本実施例のLEDストリングライトが使用する回路は図16に示すように、各部の回路は次の通り説明する。図8に示すメインコントロールチップ（SCM）の電源入力側のVCCはコンデンサーC5と、コンデンサーC6の片側をSCMの4ピンVDD上に連結し、コンデンサーC5とコンデンサーC6の他側を接地する。SCMの７ピン目はレジスタンスR9の片側と連結し、レジスタンスR9の他側をボタンKEYの片側及びレジスタンスR5の片側と連結し、ボタンKEYの他側を接地し、レジスタンスR5の他側を電源入力側のVCCに連結し、SCMの5ピンXINは水晶発振器Y1とコンデンサーC3の片側に連結し、コンデンサーC3の他側を接地する。SCMの6ピンXOUTは水晶発振器Y1の他側とコンデンサーC4の片側に連結し、コンデンサーC3とコンデンサーC4の他側を接地する。SCMの11ピンVSSを接地する。電源入力側のVCCがコンデンサーC5とコンデンサーC6によって濾過後に駆動電力としてSCMへ供給し、コンデンサーC3とコンデンサーC4と水晶発振器Y1からなる水晶発振回路はSCMへ駆動周波数を供給し、或いはタイマーとして使用する。
【００３２】
図9に示す電圧調整回路は電源入力側のVCCがダイオードD2の片側と連結し、ダイオードD2の他側がインダクタンスL1の片側と連結し、インダクタンスL1の他側がトランジスタQ3のC極とダイオードD1の片側と連結し、ダイオードD1の片側がコンデンサーC2及びLEDストリングライトのアノードと連結し、コンデンサーC2の他側が接地し、トランジスタQ3のE極が接地し、トランジスタQ3のベースBがコンデンサーC1及びレジスタンスR3の片側と連結し、コンデンサーC1の他側がレジスタンスR3の他側に連結し、レジスタンスR4と連結し、コンデンサーC1とレジスタンスR3の連結側がSCMの8ピンに連結し、レジスタンスR4の他側が接地する。
【００３３】
SCMは8ピンでデューティサイクルが一定或いは連続的に変化するPWMパルスを発生することによって、インダクタンスL1を絶えずに充放電状態にし、インダクタンスL1が放電する度に磁気エネルギーが電気エネルギーに変換することによって、インダクタンス側で左がマイナス、右がプラスになり、この電圧が電源のプラス側に加えて、ダイオードD2を介してコンデンサーC2へ電気をチャージし、コンデンサーC2両端の電圧を高める。また、ダイオードD2が逆方向で高めた電圧の逆方向へ流れることを止めたため、電圧を高める目的に達した。出力電圧の大きさはPWMのデューティサイクルによって決める。このモジュールは1.5V〜6Vの直流電圧を130Vまでに高められる。出力電圧の計算式はVout=Vin/(1-D)で、ここでは、Voutが出力電圧、Vinが入力電圧、Dがデューティサイクルである。
【００３４】
図10に示すようなLEDストリングライトの制御回路は4ラインのLEDストリングライトの制御に使用する、その中に：SCMの10ピン目であるPA0ポートがレジスタンスR7の片側と連結し、レジスタンスR7の他側がトランジスタQ5のB極と連結し、トランジスタQ5のE極が接地し、トランジスタのC極がLEDストリングライトのカソードと連結する。SCMの9ピン目であるPA2ポートがレジスタンスR6の片側と連結し、レジスタンスR6の他側がトランジスタQ4のB極と連結し、トランジスタQ4のE極が接地し、トランジスタQ4のC極がLEDストリングライトのカソードと連結する。SCMの13ピン目であるPB2ポートがレジスタンスR1の片側と連結し、レジスタンスR1の他側がトランジスタQ1のB極と連結し、トランジスタQ1のE極が接地し、トランジスタQ1のC極がLEDストリングライトのカソードと連結する。SCMの12ピン目であるPB3ポートがレジスタンスR2の片側と連結し、レジスタンスR2の他側がトランジスタQ2のB極と連結し、トランジスタQ2のE極が接地し、トランジスタQ2のC極がLEDストリングライトのカソードと連結する。
【００３５】
図14に示すように、メインコントロールチップに電源を入れれば、プログラムがリセットし、初期化プログラムを実行する。初期化プログラム実行完了後に、プログラムが自動的にメインプログラムの実行に変わり、ボタンスイッチのステータスを読み取り、ボタンスイッチのステータスによって点滅のパターンを選定する。LEDストリングライトの制御回路は4ラインのLEDストリングライトを制御して、下記のようにさまざまなLED点滅パターンが実現できる。シングルライン点滅、ダークスター点滅、点滅、マーキー、ピーコック、全体が徐々に明るくなったり、暗くなったりする、常に点灯、上記モードの組み合わせ。上記モード以外にも必要に応じて他の点滅機能が実現できる。
【００３６】
メインコントロールチップ（SCM）のI/Oポートがハイ・ローレベルを出力し、相応のトランジスタQ1、Q2、Q4、Q5の導通と切断を制御することによって、相応のLEDストリングライトが点灯かしないかを制御する目的を達する。SCMがPWMデューティサイクルの変化を制御し、電圧調整回路を介して電圧を出力する。SCMが徐々にデューティサイクルの増加を制御することによって、LEDストリングライトに加える電圧が少しずつ高くなり、LEDストリングライトもそれに連れてゆっくりと明るくなる。徐々にデューティサイクルを小さくすると、LEDストリングライトに加える電圧が少しずつ低くなり、LEDストリングライトもそれに連れてゆっくりと暗くなる。LEDストリングライトへの電圧を変えることによって、LEDストリングライトが徐々に明るくなったり、徐々に暗くなったりする効果を達成する。したがって、SCMがデューティサイクルの変化するパルスを出力さえすれば、それぞれ違う簡単や複雑なLEDストリングライトの点滅機能が達成できる。
【００３７】
次はダークスター点滅モードのコントロールを例として説明する。まず、SCMでPWMポートから出力するPWMのデューティサイクルをハイからローに制御すると、電圧調整回路から出力するLEDストリングライトの電圧もハイからローになり、一定の電圧に低くなると、SCMが新たにPWMポートから出力するデューティサイクルをローからハイに調整し、電圧調整回路から出力する電圧もローからハイになる。このように上記ステップを繰り返すと、ダークスターをシミュレーションする目的を達し、更にSCMでLEDストリングライトに対応するトランジスタQ5（図6-1を参照する）の導通と切断を制御することによって、点滅の目的を達成し、ダークスターの点滅を実現する。
【００３８】
図11に示すように、レジスタンスR11とR12からサンプリング回路になり、レジスタンスR11の片側がダイオードD1とコンデンサーC2の連結側に連結し、レジスタンスR11の他側がSCMの1ピンPB0ポートとレジスタンスR12の片側に連結し、レジスタンスR12の他側が接地する。SCMが1ピンPB0ポートを介してリアルタイムにこのような電圧ステータスをサンプリングし、サンプリングした電圧ステータスがハイである場合、LEDストリングライトの明るさが正常な範囲にあり、サンプリングした電圧ステータスがローである場合、LEDストリングライトの明るさが暗い範囲にあり、更に出力電圧を高める必要があることは分かる。メインコントロールチップでPWMのデューティサイクルを調節することによって、LEDストリングライト制御回路の出力電圧を高め、LEDストリングライトを元の観賞効果に戻し、また、電池の電圧を充分利用して、頻繁な電池交換を避け、環境保全と省エネの効果を達成する。
【００３９】
図12に示すような無線受信回路の無線受信器IC1の1ピンがレジスタンスR14及びトランジスタQ6のB極と連結し、レジスタンスR14の他側が電源の入力側VCCと連結し、トランジスタQ6のE極が接地し、トランジスタのC極がSCMのPB1ポート及びレジスタンスR13の片側と連結し、レジスタンスR13の他側が電源入力側のVCCと連結する。無線受信器IC1が無線信号を受信した場合、IC1が受信した無線信号によってトランジスタQ6を導通或いは切断すると、トランジスタQ6のC極が対応するコード情報を生成し、SCMがPB1によってこのコード情報を取得して、このコード情報によってLEDストリングライトの点灯或いはしないことを制御する。
【００４０】
図13に示すように、メインコントロールチップのパルス幅変調出力側のPWM0間隔はデューティサイクルが0であるパルスと、LEDストリングライトを点灯するデューティサイクルを出力し、間隔時間は10〜100msの間にあり、LEDストリングライトが人間の目に残る残像時間より短い。間隔切断制御は実施例2の省電力制御と同時に実施すると、更なる省エネの目的が達成できる。
【図１】
0003177497.tif 000003
【図２】
0003177497.tif 000004
【図３】
0003177497.tif 000005
【図４】
0003177497.tif 000006
【図５】
0003177497.tif 000007
【図６】
0003177497.tif 000008
【図７】
0003177497.tif 000009
【図８】
0003177497.tif 000010
【図９】
0003177497.tif 000011
【図１０】
0003177497.tif 000012
【図１１】
0003177497.tif 000013
【図１２】
0003177497.tif 000014
【図１３】
0003177497.tif 000015
【図１４】
0003177497.tif 000016
【図１５】
0003177497.tif 000017
【図１６】
0003177497.tif 000018